(57)【要約】【課題】多種類のシートを用意する過程で生じるシートの残片（これは何もしなければ産業廃棄物となる）を補強用当布として再利用する。【解決手段】  建築工事用シートの端部を補強してハトメを取り付ける方法であって、下記（ａ）−（ｆ）の工程を有することを特徴とする方法である。（ａ）建築工事用シートの原反から、小幅の建築工事用シートを切り出すときに発生する建築工事用シート残片から所要幅の当布用シート片を予め作成しておく。（ｂ）建築工事用シート本体の端部を折り返す。（ｃ）前記端部の折り返し線に芯となる紐を挿入する。（ｄ）前記（ａ）の工程で作成した当布用シート片を当布として折り返し部にあてがう。（ｅ）必要個所を縫着又は溶着して固定する。（ｆ）ハトメを取り付ける。【選択図】図４
2011099222.tif 000002
【特許請求の範囲】
【請求項１】
建築工事用シート（１）の端部（１１）を補強してハトメ（２）を取り付ける方法であって、下記（ａ）−（ｆ）の工程を有することを特徴とする方法。
（ａ）建築工事用シートの原反から、小幅の建築工事用シートを切り出すときに発生する建築工事用シート残片から所要幅の当布用シート片を予め作成しておく。
（ｂ）建築工事用シート本体の端部を折り返す。
（ｃ）前記端部の折り返し線に芯となる紐（１２）を挿入する。
（ｄ）前記（ａ）の工程で作成した当布用シート片を当布（１３）として折り返し部にあてがう。
（ｅ）必要個所を縫着又は溶着して固定する。
（ｆ）ハトメ（２）を取り付ける。
【請求項２】
前記（ａ）の工程を単位シート作成時に行う請求項１記載の方法。
【請求項３】
前記（ａ）の工程を単位シート作成前の原反状シートについて行う請求項１記載の方法。
【請求項４】
当布（１３）として折り返し部にあてがう前記建築工事用シート残片と前記本体の建築工事用シートが同色である請求項１〜３のいずれかに記載の方法。
【請求項５】
請求項１〜４のいずれかの方法により得られる建築工事用シート（１）。
【発明の詳細な説明】
【技術分野】
【０００１】
本発明は、建築工事現場において、足場となる仮設構造物の外側に張設するためのメッシュ状の建築工事用シート（以下、単に「シート」と呼ぶ）に関するものである。特に、ハトメが取り付けられるシートの上下左右の端部を補強する方法及びそれにより製造されるシートに関する。
【背景技術】
【０００２】
＜第１の問題＞
添付の図１に示すように、シート１は、仮設構造物の外側に張設して、工事現場からボルト等の建築材が、歩道等に落下するのを防止し、通行人等の安全を確保するために使用されている。仮設構造物は、柱と梁とを主体として形成されるものであるが、隣接する柱間の距離には、インチサイズとメーターサイズとがある。インチサイズはアメリカで採用されている規格であり、隣接する柱間の距離は１８２５ｍｍと決められている。メーターサイズは日本で採用されている規格であり、隣接する柱間の距離は１８００ｍｍと決められている。現在、日本では、両者が併存して使用されているのが実状である。
【０００３】
さらにインチサイズとメーターサイズ双方において、単位シートの長手方向の長さにも、複数の規格（例えば、５１００ｍｍ、５４００ｍｍ、６３００ｍｍ、１０２００ｍｍ、等）がある。それだけでなく、図１の両端１Ａ，１Ｂに示すように、建築物の大きさにより、インチサイズとメーターサイズ以外の小幅サイズ（例えば、１５００ｍｍ、１２００ｍｍ、９００ｍｍ、６００ｍｍ、等）も用意しておく必要がある。
【０００４】
その他、シートの色彩についても、ホワイト、ブラック、ブルー、グレー、グリーン、等があり、問題を複雑化させている。
【０００５】
従って、シートを調達する場合には、仮設構造物がインチサイズで形成されているか、又はメーターサイズで形成されているか、単位シートの長手方向の長さはどのくらいか、小幅シートも必要か、色彩をどうするか、を予め確認しなければならないという煩雑さがあった。また、シートを販売又は賃貸する業者は、これら多種類のシートを準備しなければならず、管理及び保管に多大の犠牲を払っていた。
【０００６】
＜第２の問題＞
ところで、これらのシート同士は、図１及び２に示すように、単位シート１の上下左右の端部に所定間隔で設定されたハトメ２を利用して紐で相互に連結されている。風雨に耐えてシートを支えるためにハトメは強固にシートに取り付けられる必要がある。しかし、シートはメッシュ状であるため、単に折り返して二重にして縫着する程度では強度的に不十分であり、折り返し部１１に芯となる紐１２を挿入すると共に、当布１３をあてがって補強した上で縫着してハトメを取り付けている。シートに対して当布をあてがい、ハトメを取り付ける方法として、実公平２−３０４７７号の図２（Ａ）−（Ｈ）で示すような方法が知られている。当布は、（Ａ）、（Ｄ）、（Ｇ）、（Ｈ）では一重、（Ｂ）、（Ｃ）、（Ｅ）、（Ｆ）では二重である。
【０００７】
この当布としては、シートとは別材質のプラスチックシートが使用されているが、この当布の材料費がシートのコストアップにつながることはいうまでもない。当布を二重にすれば費用は一重のときの２倍となる。
【発明の概要】
【発明が解決しようとする課題】
【０００８】
本発明者は、上記２つのそれぞれ独立した問題を一挙に解決することを目指して本発明を完成させた。すなわち、本発明は、多種類のシートを用意する過程で生じるシートの残片（これは何もしなければ産業廃棄物となる）を当布として再利用することを目的とする。
【課題を解決するための手段】
【０００９】
本発明請求項１は、建築工事用シートの端部を補強してハトメを取り付ける方法であって、下記（ａ）−（ｆ）の工程を有することを特徴とする方法である。
（ａ）建築工事用シートの原反から、小幅の建築工事用シートを切り出すときに発生する建築工事用シート残片から所要幅の当布用シート片を予め作成しておく。
（ｂ）建築工事用シート本体の端部を折り返す。
（ｃ）前記端部の折り返し線に芯となる紐を挿入する。
（ｄ）前記（ａ）の工程で作成した当布用シート片を当布として折り返し部にあてがう。
（ｅ）必要個所を縫着又は溶着して固定する。
（ｆ）ハトメを取り付ける。
【００１０】
前記（ａ）−（ｆ）の順番は、論理矛盾を起こさない限り、前後してもよい。
【００１１】
前記（ａ）の工程は、単位シート作成時に行うこともできるし（請求項２）、単位シート作成前の原反状シートについて行うこともできる（請求項３）。
【００１２】
当布として折り返し部にあてがう建築工事用シート残片と本体の建築工事用シートが同色であることが好ましい（請求項４）。
【００１３】
請求項５は、請求項１〜４のいずれかの方法により製造された建築工事用シートである。
【発明の効果】
【００１４】
本発明によれば、多種類のシートを用意する過程で生じるシートの残片を、建築工事用シートの端部補強のために再利用するものであり、次のような効果が得られる。
【００１５】
（１）何もしなければ産業廃棄物となる残片を使用するので、環境保護につながる。
（２）建築工事用シートとは別材質のプラスチックシートを新たに購入する必要がないので経済的である。
（３）本発明の方法により、当布２枚を使用して補強力について実験したところ、建築工事用シートとは別材質のプラスチックシート２枚を使用する従来法に比べるとやや劣るものであったが、１枚を使用する従来法よりは数段強化されており、十分使用に耐えるものであることが分かった。
（４）建築工事用シートとは別材質のプラスチックシートを使用する従来法では、本体の築工事用シートと色彩が異なることが多く、見栄えがよくなかったが、請求項４では、同色のものを使用するので見栄えがよいものとなった。
（５）請求項３では、単位シート作成前の原反状シートについて前記（ａ）の工程を行うので、一端切断したものを再びつなぎ直す手間が省けて、効率的である。
【図面の簡単な説明】
【００１６】
【図１】工事現場で建築工事用シートを使用している状態を示す正面図である。
【図２】建築工事用シートの一部拡大図である。
【図３】（ａ）（ｂ）は図２の３−３断面図（２種類）である。
【図４】本発明の第１実施例を説明するための建築工事用シートの一部拡大図である。
【図５】本発明の第２実施例を説明するための建築工事用シートの一部拡大図である。
【図６】本発明の第３実施例を説明するための建築工事用シートの原反斜視図である。
【発明を実施するための形態】
【００１７】
以下、添付の図面に基づき、本発明の実施例を説明する。
【実施例１】
【００１８】
工場出荷状態のシートの原反（図６参照）は通常、幅が１９００ｍｍ前後であり（以下、１９００ｍｍとして説明する）、これから標準幅の単位シート又は小幅の単位シートを切り出す。標準幅の単位シートを作成するときには、インチサイズにせよ、メーターサイズにせよ、全体を使用するので、残片シートは発生しない。
【００１９】
しかし、例えば９００ｍｍ幅と６００ｍｍ幅の前記小幅シートを同時に裁断するときには、図４に示すように、両端の折り返し部を考慮して９９０ｍｍ幅と６９０ｍｍ幅に切り出す必要がある。すなわち、１９００ｍｍ−（９９０ｍｍ＋６９０ｍｍ）＝２２０ｍｍの残片シートが発生する。
【００２０】
この残片シートは従来産業廃棄物として処理されてきたが、環境を破壊する一因ともなりうるものである。本発明では、これらの残片シートをシート端部の折り返し部に取り付けて当布とする。
【００２１】
前記のとおり、シートはメッシュ状であるため、単に端部を折り返して二重にして縫着する程度ではハトメ打ちするのに強度的に不十分である。そのため、折り返し部に芯となる紐１２を挿入すると共に、当布をあてがって補強した上で縫着してハトメを取り付けている。
【００２２】
シート１に対して当布１３をあてがい、ハトメ２を取り付ける方法として、図３（Ａ）又は（Ｂ）で示すような方法を採用することができる。（Ａ）はシート１の内側に当布１３をあてがうものであり、（Ｂ）はシート１の外側に当布１３をあてがうものである。どちらにしても、当布１３の幅は片面３５ｍｍ、両面で７０ｍｍは必要である。
【００２３】
当布１３をあてがったシート折り返し部に対して、糸１４で縫着固定し、ハトメ２を取り付ける。
【００２４】
図４に示すように、前記幅２２０ｍｍの残片シートからは、幅７０ｍｍの当布を３枚切り出すことができ、最終的に幅１０ｍｍの残片シートが残る［２２０ｍｍ−（７０ｍｍ×３）＝１０ｍｍ］。幅１０ｍｍの最終的な残片シートは廃棄する。
【実施例２】
【００２５】
幅１９００ｍｍの原反から１５００ｍｍ幅の前記小幅シートを裁断するときには、両端の折り返し部を考慮して１５８０ｍｍ〜１５９０ｍｍ幅に切り出す必要がある。
【００２６】
（１）図５に示すように、１５８０ｍｍ幅で小幅シートを切り出すと、１９００ｍｍ−１５８０ｍｍ＝３２０ｍｍの残片シートが発生する。ここから幅７０ｍｍの当布を４枚切り出すことができ、最終的に幅４０ｍｍの残片が残る［３２０ｍｍ−（７０ｍｍ×４）＝４０ｍｍ］。幅４０ｍｍの最終的な残片シートは廃棄する。
【００２７】
（２）図示しないが、１５９０ｍｍ幅で小幅シートを切り出すと、１９００ｍｍ−１５９０ｍｍ＝３１０ｍｍの残片シートが発生する。ここから幅７０ｍｍの当布を４枚切り出すことができ、最終的に幅３０ｍｍの残片が残る［３１０ｍｍ−（７０ｍｍ×４）＝３０ｍｍ］。幅３０ｍｍの最終的な残片シートは廃棄する。
【実施例３】
【００２８】
上記実施例１及び２の方法では、当布１３は幅７０ｍｍで、長手方向長さは、予め決められた規格の長さ（［０００３］参照）となる。これらよりも長い当布を必要とするときには、複数枚を長手方向に繋いで使用しなければならない。
【００２９】
しかし、図６に示すように、予め決められた規格の長さに裁断する前の原反状態で輪切りにすれば、複数枚を繋ぐ必要はなくなり、経済的である。
【先行技術文献】
【特許文献】
【００３０】
【特許文献１】実公平２−３０４７７号
【符号の説明】
【００３１】
１     単位シート
１１   端部
１２   紐
１３   当布
２     ハトメ
【図１】
2011099222.tif 000003
【図２】
2011099222.tif 000004
【図３】
2011099222.tif 000005
【図４】
2011099222.tif 000006
【図５】
2011099222.tif 000007
【図６】
2011099222.tif 000008